(57)【要約】【課題】第１筐体と第２筐体とを備え、第２筐体が一端において第１筐体に回動可能に接続される搬送装置において、第１筐体と第２筐体との間のガタを低減すること。【解決手段】第２筐体１２が閉じた状態である場合、ロック部材６１が受け部６５に係合する。右側のロック部材６１の突出部６１Ｂが、第３付勢部材６４の付勢力により受け部６５の窪み部６５Ｂに入り込む。すなわち、突出部６１Ｂが窪み部６５Ｂに係合されている。第１平坦面６１Ｃが第３平坦面６５Ｃに接触する。ロック部材６１は、上方向への移動が規制される。第２平坦面６１Ｄが第４平坦面６５Ｄに接触する。ロック部材６１は、下方向への移動が規制される。【選択図】図５
2015189574.tif 000002
【特許請求の範囲】
【請求項１】
第１面と、第１方向に延びる回転軸を中心に回動可能に前記第１面から突出する搬送ローラと、を有する第１筐体と、
前記第１筐体の前記第１面に対向する第２面と、前記第２面とは前記第１方向に直交する第２方向において反対側の第３面と、前記搬送ローラに向けて付勢され、前記第２面から突出し前記搬送ローラと向かい合う従動ローラとを有し、前記第１筐体に対して前記第２方向の一方側に設けられ、一端において前記第１筐体に回動可能に接続される第２筐体と、
前記第２筐体の前記第３面に設けられた操作部と、
前記第１方向の一方側に突出する突出部と、
前記突出部における前記第２方向の前記一方側に形成された第１平坦面と、前記突出部における前記第２方向の他方側に形成された第２平坦面とを有し、前記第１方向に摺動可能に前記第２筐体に設けられるロック部材と、
前記ロック部材を前記第１方向の前記一方側に向けて付勢する付勢部材と、
前記第１方向の前記一方側に向けて窪み前記突出部に係合する窪み部と、前記窪み部における前記第２方向の前記一方側に形成され、前記突出部と前記窪み部が係合したときに、前記第１平坦面に接触する第３平坦面と、前記窪み部における前記第２方向の前記他方側に形成され、前記突出部と前記窪み部が係合したときに、前記第２平坦面に接触する第４平坦面とを有し、前記第１筐体に設けられる受け部と、
を備えることを特徴とする搬送装置。
【請求項２】
請求項１に記載の搬送装置において、
前記ロック部材は、前記第２平坦面の前記第１方向の前記一方側の端部よりも前記第１方向の前記一方側且つ前記第２方向の前記一方側に設けられ、前記第２方向の前記他方側且つ前記第１方向の前記一方側を向く第１斜面を有すること
を備えることを特徴とする搬送装置。
【請求項３】
請求項１または請求項２に記載の搬送装置において、
前記受け部は、前記第３平坦面よりも前記第２方向の前記一方側に設けられ、前記第１方向の前記他方側且つ前記第２方向の前記一方側を向く第２斜面を有すること
を備えることを特徴とする搬送装置。
【請求項４】
請求項３に記載の搬送装置において、
前記第２斜面は、前記第１方向に対して４５°〜９０°の角度を有すること
を備えることを特徴とする搬送装置。
【請求項５】
請求項１〜請求項４の何れか１項に記載の搬送装置において、
前記付勢部材は、前記ロック部材よりも前記第１方向の前記他方側に設けられる圧縮ばねであること
を特徴とする搬送装置。
【請求項６】
請求項１〜請求項５の何れか１項に記載の搬送装置において、
前記ロック部材が二つ存在し、
前記二つのロック部材のうちの一方が前記第２筐体の前記第１方向の前記一方側の端部に配置されるとともに他方が前記第２筐体の前記第１方向の前記他方側の端部に配置され、
前記受け部が二つ存在し、
前記二つの受け部のうちの一方が前記第１筐体の前記第１方向の前記一方側の端部に配置されるとともに他方が前記第１筐体の前記第１方向の前記他方側の端部に配置され、
前記二つのロック部材の間に前記付勢部材が配置されていること
を特徴とする搬送装置。
【請求項７】
請求項１〜請求項６の何れか１項に記載の搬送装置において、
前記ロック部材は、前記第２方向の前記一方側に設けられた把持部を有し、
前記第２筐体は、前記把持部よりも前記第１方向に長く、前記第２方向から見て、前記把持部がその内部に位置する切り欠き部を有すること
を特徴とする搬送装置。
【請求項８】
請求項１〜請求項５の何れか１項に記載の搬送装置において、
前記ロック部材が二つ存在し、
前記二つのロック部材のうちの一方が前記第２筐体の前記第１方向の前記一方側の端部に配置されるとともに他方が前記第２筐体の前記第１方向の前記他方側の端部に配置され、
前記受け部が二つ存在し、
前記二つの受け部のうちの一方が前記第１筐体の前記第１方向の前記一方側の端部に配置されるとともに他方が前記第１筐体の前記第１方向の前記他方側の端部に配置され、
また、
前記第２筐体の前記第１方向の前記一方側の端部に配置された前記ロック部材は、前記第２方向の前記一方側に設けられた把持部を有し、
前記第２筐体は、前記把持部よりも前記第１方向に長く、前記第２方向から見て、前記把持部がその内部に位置する切り欠き部を有し、
さらに、
前記付勢部材は、前記二つのロック部材のうち前記把持部が形成された前記ロック部材を前記第１方向の前記一方側に向けて付勢すること
を特徴とする搬送装置。
【請求項９】
上側を向く第１面と、前記第１面から突出する搬送ローラと、を有する第１筐体と、
前記第１筐体の前記第１面に対向し、下側を向く第２面と、前記第２面の上側に設けられ上側を向く第３面と、前記搬送ローラに向けて付勢され、前記第２面から突出し前記搬送ローラと向かい合う従動ローラとを有し、前記第１筐体の上側に設けられ、一端において前記第１筐体に回動可能に接続される第２筐体と、
前記第３面に設けられた操作部と、
左向きに突出する突出部と、前記突出部の上側に形成された第１平坦面と、前記突出部の下側に形成された第２平坦面とを有し、左右方向に摺動可能に前記第２筐体に設けられるロック部材と、
前記ロック部材を左向きに付勢する付勢部材と、
左向きに窪み前記突出部に係合する窪み部と、前記窪み部における上側に形成され、前記突出部と前記窪み部が係合したときに、前記第１平坦面に接触する第３平坦面と、前記窪み部における下側に形成され、前記突出部と前記窪み部が係合したときに、前記第２平坦面に接触する第４平坦面とを有し、前記第１筐体に設けられる受け部と、
を備えることを特徴とする搬送装置。
【請求項１０】
第１面と、第１方向に延びる回転軸を中心に回動可能に前記第１面から突出する第１ローラと、を有する第１筐体と、
前記第１筐体の前記第１面に対向する第２面と、前記第２面とは前記第１方向に直交する第２方向において反対側の第３面と、前記第２面から突出し、前記第１ローラと向かい合う第２ローラを有し、前記第１筐体に対して前記第２方向の一方側に設けられ、一端において前記第１筐体に回動可能に接続される第２筐体と、
前記第１ローラと前記第２ローラの一方を、前記第１ローラと前記第２ローラの他方に対して付勢する付勢部材と、
前記第３面に設けられた操作部と、
前記第１方向の前記一方側に突出する突出部と、前記突出部における前記第２方向の前記一方側に形成された第１平坦面と、前記突出部における前記第２方向の他方側に形成された第２平坦面とを有し、前記第１方向に摺動可能に前記第２筐体に設けられるロック部材と、
前記ロック部材を前記第１方向の前記一方側に向けて付勢する付勢部材と、前記第１方向の前記一方側に向けて窪み前記突出部を係合する窪み部と、前記窪み部における前記第２方向の前記一方側に形成され、前記突出部と前記窪み部が係合したときに、前記第１平坦面に接触する第３平坦面と、前記窪み部における前記第２方向の前記他方側に形成され、前記突出部と前記窪み部が係合したときに、前記第２平坦面に接触する第４平坦面とを有し、前記第１筐体に設けられる受け部と、
を備えることを特徴とする搬送装置。
【発明の詳細な説明】
【技術分野】
【０００１】
本発明は、搬送装置に関する。
【背景技術】
【０００２】
特許文献１に従来の搬送装置の例が開示されている。この搬送装置は、カバー部が本体部との間で回転ヒンジ部を介して開閉自在に接続されている。開状態のカバー部が本体部に対して押し付けられると、カバー部に回動可能に支持された係合爪が、本体部側の構成に当接した後に乗り越えて受け部に係合する。本体部の解除ボタンが操作されると、係合爪が本体部の受け部から解放され、カバー部をポップアップさせることが可能となる。
【先行技術文献】
【特許文献】
【０００３】
【特許文献１】特開２０１２−２４６０９９号公報
【発明の概要】
【発明が解決しようとする課題】
【０００４】
ところで、特許文献１に例示される従来の搬送装置では、係合爪が軸を中心に回動するため、係合爪と受け部は、カバー部を閉じる際に、係合爪の回動を許容する形状を有する必要がある。例えば、係合爪の下端面は、係合爪の回動中心軸に対して等距離となるよう、円弧状の形状を有する。係合爪の下端面に向かい合う受け部の下面は、係合爪の回動時に係合爪に接触しないよう、ロック時において係合爪の下端面と受け部の下面との間に隙間を有する位置に形成されるといった具合である。
【０００５】
また、カバー部を閉じた状態では、カバー部側の従動ローラが本体部側の搬送ローラに接触するので、係合爪はカバー部が開く方向に付勢される。そのため、カバー部が本体部に対してロックされている場合、係合爪の上面と受け部の上側面とが接触し、カバー部のロック位置が保たれる。
【０００６】
しかし、例えば、カバー部上面にタッチパネルなどなどの操作部が設けられて場合、操作部の操作によってカバー部が付勢方向と反対側に押圧される。前記したように、このように下向きに付勢された場合、例えば、上述のような係合爪の回動を許容するための形状に起因して、カバー部と本体部との間にガタが発生する可能性があった。このガタは、例えば、操作部の操作性を低下させ可能性があるため、低減されるのが望ましい。
【０００７】
本発明は、このような課題に鑑みなされたものであり、その目的とするところは、第１筐体と第２筐体とを備え、第２筐体が一端において第１筐体に回動可能に接続される搬送装置において、第１筐体と第２筐体との間のガタを低減することにある。
【課題を解決するための手段】
【０００８】
本発明の搬送装置は、第１筐体と、第２筐体と、操作部と、ロック部材と、付勢部材と、受け部と、を備える。
前記第１筐体は、第１面と、第１方向に延びる回転軸を中心に回動可能に前記第１面から突出する搬送ローラとを有する。
【０００９】
前記第２筐体は、前記第１筐体の前記第１面に対向する第２面と、前記第２面とは前記第１方向に直交する第２方向において反対側の第３面と、前記搬送ローラに向けて付勢され、前記第１筐体の前記第１面に対向する第２面から突出し前記搬送ローラと向かい合う従動ローラとを有し、前記第１筐体に対して前記第２方向の一方側に設けられ、一端において前記第１筐体に回動可能に接続される。
【００１０】
前記操作部は、前記第２筐体の前記第３面に設けられる。
前記ロック部材は、前記第１方向の一方側に突出する突出部と、前記突出部における前記第２方向の前記一方側に形成された第１平坦面と、前記突出部における前記第２方向の他方側に形成された第２平坦面とを有し、前記第１方向に摺動可能に前記第２筐体に設けられる。
【００１１】
前記付勢部材は、前記ロック部材を前記第１方向の前記一方側に向けて付勢する。
前記受け部は、前記第１方向の前記一方側に向けて窪み前記突出部を係合する窪み部と、前記窪み部における前記第２方向の前記一方側に形成され、前記突出部と前記窪み部が係合したときに、前記第１平坦面に接触する第３平坦面と、前記窪み部における前記第２方向の前記他方側に形成され、前記突出部と前記窪み部が係合したときに、前記第２平坦面に接触する第４平坦面とを有し、前記第１筐体に設けられる。
【００１２】
このように構成された本発明の搬送装置によれば、次のような作用効果を奏する。
すなわち、第１方向に摺動可能に第２筐体に設けられたロック部材が、付勢部材により第１方向の一方側に向けて付勢されて移動し、ロック部材の突出部が受け部の窪み部に入り込んで係合される。このとき、ロック部材の第１平坦面が受け部の第３平坦面に接触され、ロック部材は、第２方向の一方側への移動が規制される。また、ロック部材の第２平坦面が受け部の第４平坦面に接触され、ロック部材は、第２方向の他方側への移動が規制される。このような第１筐体側のロック部材と第２筐体側の受け部との係合により、第１筐体と第２筐体との間のガタを低減できる。
【００１３】
また、本発明の搬送装置は、前記ロック部材が、前記第２平坦面の前記第１方向の前記一方側の端部よりも前記第１方向の前記一方側且つ前記第２方向の前記一方側に設けられ、前記第２方向の前記他方側且つ前記第１方向の前記一方側を向く第１斜面を有することが好ましい。
【００１４】
このように構成された本発明の搬送装置によれば、第２筐体を第１筐体に向けて回動させると、まず、ロック部材の第１斜面が受け部に当接する。次に、第２筐体の回動に伴い、第１斜面が受け部に案内され、ロック部材を付勢部材の付勢力に抗して第１方向の他方側且つ第２方向の他方側に移動させる。続いて、第２筐体の回動に伴い、ロック部材は、第１平坦面が受け部の第３平坦面よりも第２方向の他方側となり且つ突出部が受け部の窪み部の第１方向の他方側となる位置に移動する。さらに、ロック部材の突出部が、付勢部材の付勢力により、受け部の窪み部に入り込んで係合される。このとき、ロック部材の第１平坦面が受け部の第３平坦面に接触される。また、ロック部材の第２平坦面が受け部の第４平坦面に接触される。
【００１５】
したがって、本発明の搬送装置によれば、第２筐体を第１筐体に向けて回動させる動作によりロック部材を受け部に係合させることができるので、利用者の利便性がよい。
また、本発明の搬送装置は、前記受け部が、前記第３平坦面よりも前記第２方向の前記一方側に設けられ、前記第１方向の前記他方側且つ前記第２方向の前記一方側を向く第２斜面を有することが好ましい。
【００１６】
このように構成された本発明の搬送装置によれば、第２筐体を第１筐体に向けて回動させると、まず、ロック部材が受け部の第２斜面に当接する。次に、第２筐体の回動に伴い、ロック部材が第２斜面に案内され、ロック部材を付勢部材の付勢力に抗して第１方向の他方側且つ第２方向の他方側に移動させる。続いて、第２筐体の回動に伴い、ロック部材は、第１平坦面が受け部の第３平坦面よりも第２方向の他方側となり且つ突出部が受け部の窪み部の第１方向の他方側となる位置に移動する。さらに、ロック部材の突出部が、付勢部材の付勢力により、受け部の窪み部に入り込んで係合される。このとき、ロック部材の第１平坦面が受け部の第３平坦面に接触される。また、ロック部材の第２平坦面が受け部の第４平坦面に接触される。
【００１７】
したがって、本発明の搬送装置によれば、第２筐体を第１筐体に向けて回動させる動作によりロック部材を受け部に係合させることができるので、利用者の利便性がよい。
また、本発明の搬送装置は、前記第２斜面が前記第１方向に対して４５°〜９０°の角度を有することが好ましい。
【００１８】
このように構成された本発明の搬送装置によれば、第２筐体を第１筐体に向けて回動させた場合に、ロック部材が第２斜面に案内されながら、付勢部材の付勢力に抗して第１方向の他方側に移動する動作がスムーズとなる。
【００１９】
したがって、本発明の搬送装置によれば、利用者の利便性が更によい。
また、本発明の搬送装置は、前記付勢部材が、前記ロック部材よりも前記第１方向の前記他方側に設けられる圧縮ばねであることが好ましい。
【００２０】
このように構成された本発明の搬送装置によれば、一般的に圧縮ばねは引張ばねよりも耐久性がよいことから、圧縮ばねを付勢部材として用いることにより、付勢部材として引張ばねを用いる場合に比べて付勢部材の耐久性を向上させることができる。また、一般的に、圧縮した状態で付勢力を発揮する圧縮ばねの方が引っ張った状態で付勢力を発揮する引張ばねよりも占有スペースが小さくて済むことから、圧縮ばねを付勢部材として用いることにより、付勢部材として引張ばねを用いる場合に比べて付勢部材が占有するスペースを小さくでき、搬送装置の設計自由度を高めることができる。
【００２１】
また、本発明の搬送装置は、前記ロック部材が二つ存在し、前記二つのロック部材のうちの一方が前記第２筐体の前記第１方向の前記一方側の端部に配置されるとともに他方が前記第２筐体の前記第１方向の前記他方側の端部に配置され、前記受け部が二つ存在し、前記二つの受け部のうちの一方が前記第１筐体の前記第１方向の前記一方側の端部に配置されるとともに他方が前記第１筐体の前記第１方向の前記他方側の端部に配置され、前記二つのロック部材の間に前記付勢部材が配置されていることが好ましい。
【００２２】
このように構成された本発明の搬送装置によれば、第２筐体が回動して第１筐体に近づく場合に、搬送装置の第１方向の両端部にて第１筐体側のロック部材と第２筐体側の受け部とが係合するので、搬送装置の第１方向の両端部何れにおいても第１筐体と第２筐体との間のガタを低減できる。
【００２３】
また、本発明の搬送装置は、前記ロック部材は、前記第２方向の前記一方側に設けられた把持部を有し、前記第２筐体は、前記把持部よりも前記第１方向に長く、前記第２方向から見て、前記把持部がその内部に位置する切り欠き部を有することが好ましい。
【００２４】
このように構成された本発明の搬送装置によれば、第２方向から見て、切り欠き部の内部に位置する把持部が切り欠き部内を第１方向に移動可能となり、把持部が設けられたロック部材の第１方向への移動がスムーズとなる。
【００２５】
したがって、本発明の搬送装置によれば、利用者の利便性が更によい。
また、本発明の搬送装置は、前記付勢部材が、前記二つのロック部材のうち前記把持部が形成された前記ロック部材を前記第１方向の一方側に向けて付勢することが好ましい。
【００２６】
このように構成された本発明の搬送装置によれば、把持部が形成されていないロック部材を付勢部材が第１方向の一方側に向けて付勢する場合に比べて、付勢部材と把持部との間の距離が近く、把持部を操作する操作力が付勢部材によって付勢されるロック部材に伝達される伝達効率が良い。
【００２７】
したがって、本発明の搬送装置によれば、把持部の操作性がよい。
また、本発明の搬送装置は、上側を向く第１面と、前記第１面から突出する搬送ローラと、を有する第１筐体と、前記第１筐体の前記第１面に対向し、下側を向く第２面と、前記第２面の上側に設けられ上側を向く第３面と、前記搬送ローラに向けて付勢され、前記第２面から突出し前記搬送ローラと向かい合う従動ローラとを有し、前記第１筐体の上側に設けられ、一端において前記第１筐体に回動可能に接続される第２筐体と、前記第３面に設けられた操作部と、左向きに突出する突出部と、前記突出部の上側に形成された第１平坦面と、前記突出部の下側に形成された第２平坦面とを有し、左右方向に摺動可能に前記第２筐体に設けられるロック部材と、前記ロック部材を左向きに付勢する付勢部材と、左向きに窪み前記突出部に係合する窪み部と、前記窪み部における上側に形成され、前記突出部と前記窪み部が係合したときに、前記第１平坦面に接触する第３平坦面と、前記窪み部における下側に形成され、前記突出部と前記窪み部が係合したときに、前記第２平坦面に接触する第４平坦面とを有し、前記第１筐体に設けられる受け部と、を備えることを特徴とする。
【００２８】
このように構成された本発明の搬送装置によれば、次のような作用効果を奏する。すなわち、第１方向に摺動可能に第２筐体に設けられたロック部材が、付勢部材により左向きに付勢されて移動し、ロック部材の突出部が受け部の窪み部に入り込んで係合される。このとき、ロック部材の第１平坦面が受け部の第３平坦面に接触され、ロック部材は、上向きへの移動が規制される。また、ロック部材の第２平坦面が受け部の第４平坦面に接触され、ロック部材は、下向きへの移動が規制される。このような第１筐体側のロック部材と第２筐体側の受け部との係合により、第１筐体と第２筐体との間のガタを低減できる。
【００２９】
また、本発明の搬送装置は、第１面と、第１方向に延びる回転軸を中心に回動可能に前記第１面から突出する第１ローラと、を有する第１筐体と、前記第１筐体の前記第１面に対向する第２面と、前記第２面とは前記第１方向に直交する第２方向において反対側の第３面と、前記第２面から突出し、前記第１ローラと向かい合う第２ローラを有し、前記第１筐体に対して前記第２方向の一方側に設けられ、一端において前記第１筐体に回動可能に接続される第２筐体と、前記第１ローラと前記第２ローラの一方を、前記第１ローラと前記第２ローラの他方に対して付勢する付勢部材と、前記第３面に設けられた操作部と、前記第１方向の前記一方側に突出する突出部と、前記突出部における前記第２方向の前記一方側に形成された第１平坦面と、前記突出部における前記第２方向の他方側に形成された第２平坦面とを有し、前記第１方向に摺動可能に前記第２筐体に設けられるロック部材と、前記ロック部材を前記第１方向の前記一方側に向けて付勢する付勢部材と、前記第１方向の前記一方側に向けて窪み前記突出部を係合する窪み部と、前記窪み部における前記第２方向の前記一方側に形成され、前記突出部と前記窪み部が係合したときに、前記第１平坦面に接触する第３平坦面と、前記窪み部における前記第２方向の前記他方側に形成され、前記突出部と前記窪み部が係合したときに、前記第２平坦面に接触する第４平坦面とを有し、前記第１筐体に設けられる受け部と、を備えることを特徴とする。
【００３０】
このように構成された本発明の搬送装置によれば、次のような作用効果を奏する。
すなわち、第１方向に摺動可能に第２筐体に設けられたロック部材が、付勢部材により第１方向の一方側に向けて付勢されて移動し、ロック部材の突出部が受け部の窪み部に入り込んで係合される。このとき、ロック部材の第１平坦面が受け部の第３平坦面に接触され、ロック部材は、第２方向の一方側への移動が規制される。また、ロック部材の第２平坦面が受け部の第４平坦面に接触され、ロック部材は、第２方向の他方側への移動が規制される。このような第１筐体側のロック部材と第２筐体側の受け部との係合により、第１筐体と第２筐体との間のガタを低減できる。
【図面の簡単な説明】
【００３１】
【図１】本実施形態の画像読取装置を示す斜視図である。
【図２】本実施形態の画像読取装置を示す斜視図である。
【図３】本実施形態の画像読取装置を示す背面図である。
【図４】本実施形態の画像読取装置の内部構造を示す断面図である。
【図５】図３のＡ部拡大図である。
【図６】図３のＢ部拡大図である。
【図７】本実施形態のロック部材を示す斜視図である。
【図８】本実施形態のロック部材を示す背面図である。
【発明を実施するための形態】
【００３２】
以下に本発明の実施形態を図面とともに説明する。なお、本発明は下記実施形態に限定されるものではなく、様々な態様にて実施することが可能である。
図１に示すように、本実施形態の画像読取装置１は、本発明の搬送装置の具体的態様の一例である。以下の説明においては、画像読取装置１を構成する各部の相対的な位置関係を簡潔に説明するために、図中に併記した上下左右前後の各方向を利用して説明を行う。上下左右前後の各方向は、画像読取装置１を基準として定義され、重力方向（即ち、水平、垂直）や、画像読取装置１のユーザを主体とした上下左右前後の各方向に対して、画像読取装置１が配置される姿勢には影響されない。画像読取装置１の右方向が本発明の第１方向の一方側に一致する。画像読取装置１の左方向が本発明の第１方向の他方側に一致する。画像読取装置１の上方向が本発明の第２方向の一方側に一致する。画像読取装置１の下方向が本発明の第２方向の他方側に一致する。
【００３３】
［１．画像読取装置１の構成の説明］
図１〜図４に示すように、画像読取装置１は、筐体１０と、トレイ２０と、を備えている。筐体１０内には、トレイ２０から排出口１７までシートＳＨが搬送される搬送路Ｐが設けられている。筐体１０は、第１筐体１１と、第２筐体１２と、を備えている。第２筐体１２は、第１筐体１１の上側に位置している。第１筐体１１と第２筐体１２とは、上下方向の間隔を有して互いに対向している。
【００３４】
第１筐体１１は、前面１１Ｂ、下側案内面１１Ｇ及び後面１１Ｃを有している。前面１１Ｂは、前側を向く平面である。前面１１Ｂは、下側に向かって垂直に延びている。第１筐体１１は、第１側壁部１３Ｒと第２側壁部１３Ｌと、を有している。第１側壁部１３Ｒは、第１筐体１１の右側面を構成している。第２側壁部１３Ｌは、第１筐体１１の左側面を構成している。第１側壁部１３Ｒと第２側壁部１３Ｌとの上端は、第２筐体１２の左右方向両側に位置する。第２筐体１２については後述する。図４に示されるように、下側案内面１１Ｇは、上側を向く屈曲平面である。具体的に、下側案内面１１Ｇは、下側案内面１１Ｇの後側に位置する傾斜部分１１ＧＡと、下側案内面３２Ｇの前側に位置する水平部分１１ＧＢとを有する。下側案内面１１Ｇは、本発明の第１面の一例である。下側案内面１１Ｇの傾斜部分１１ＧＡは、後側から前側に向かうに従って下方に傾斜している。下側案内面１１Ｇの水平部分１１ＧＢは、前側に向かって、前面１１Ｂの上端縁１１ＢＡまで延びている。後面１１Ｃは、後側を向く平面である。後面１１Ｃは、下側に向かって略垂直に延びている。第１筐体１１は、後壁１４を有している。後壁１４は、左右方向に延びて、その左右両端部が第１側壁部１３Ｒ及び第２側壁部１３Ｌの後端縁に連結されている。後面１１Ｃは、後壁１４の後を向く外面によって形成されている。後面１１Ｃは、筐体１０の後面の一部を構成している。
【００３５】
第２筐体１２は、上面１２Ａ、前面１２Ｂ及び上側案内面１２Ｇを有している。上面１２Ａは、上側を向く平面である。上面１２Ａは、本発明の第３面の一例である。上面１２Ａは、後側から前側へ向かうに従って下方へ傾斜している。上面１２Ａの中央には、操作部１５が設けられている。操作部１５については後述する。前面１２Ｂは、前側を向く平面である。前面１２Ｂは、上面１２Ａの前端縁に連続し、下側に向かって垂直に延びている。前面１２Ｂの下端縁１２ＢＡは、前面１１Ｂの上端縁１１ＢＡに対して、隙間を有して上側に離間している。上側案内面１２Ｇは、下側を向く屈曲平面である。具体的に、上側案内面１２Ｇは、上側案内面１２Ｇの後側に位置する傾斜部分１２ＧＡと、上側案内面１２Ｇの前側に位置する水平部分１２ＧＢとを有する。上側案内面１２Ｇは、本発明の第２面の一例である。上側案内面１２Ｇの傾斜部分１１ＧＡは、上面１２Ａの後端縁の下側から、下側案内面１１Ｇの傾斜部分１１ＧＡに沿って前側に向かって下り傾斜している。上側案内面１２Ｇの水平部分１２ＧＢは、前側に向かって前面１２Ｂの下端縁１２ＢＡまで延びている。
【００３６】
第２筐体１２は、左右方向に延びる開閉軸心Ｘ１２Ａ周りに揺動可能に第１側壁部１３Ｒ及び第２側壁部１３Ｌに支持されている。開閉軸心Ｘ１２Ａは、本発明の回転軸の一例である。すなわち、第２筐体１２は、一端において第１筐体１１に回動可能に接続される。
【００３７】
操作部１５は、第２筐体１２の内部における上面１２Ａ側に組み付けられている。操作部１５は、上面１２Ａにくり抜かれた矩形状の操作部用開口１２Ｈにより外部に露出している。操作部１５は、液晶パネルと、液晶パネルの背面側から光を照射する蛍光ランプやＬＥＤ等の光源と、液晶パネルの表面に貼り合わされた接触感知膜とを有している。操作部１５は、回路基板３１に実装された制御回路に制御されて、画像読取動作の処理状況やエラー状況等である画像読取装置１の稼働状況等を表示する。また、操作部１５は、外部からの操作を受け付ける。具体的には、操作部１５は、例えば、画像読取を開始するためのボタンや、設定入力用のボタン等の各種のボタンを表示する。そして、利用者がいずれかのボタンに対応する処理の実行指示や設定入力を行うために、操作部１５に触れると、操作部１５は、受け付けた操作に応じた信号を、回路基板３１の制御回路に伝達する。回路基板３１については後述する。
【００３８】
筐体１０には、第１導入口１６と排出口１７とが形成されている。第１導入口１６に、シートＳＨが挿入される。シートＳＨは、例えば、用紙やＯＨＰシート等である。シートＳＨは、例えば、幅の広いものではレターサイズやＡ４サイズの用紙等であり、幅の狭いものでは葉書等である。なお、幅の狭い名刺やカード等については、屈曲平面である上側案内面１２Ｇ及び下側案内面１１Ｇに沿って案内されることが可能な程度に薄く曲り易い場合には、シートＳＨに含まれ得る。
【００３９】
より詳しくは、第１導入口１６は、第１筐体１１と第２筐体１２との間に形成されている。第１導入口１６は、上側案内面１２Ｇの後端縁１２ＧＣと、下側案内面１１Ｇの後端縁１１ＧＣとの隙間である。第１導入口１６は、右側の第１側壁部１３Ｒの近傍から左側の第２側壁部１３Ｌの近傍まで、左右方向に延びている。第１導入口１６の左右方向の長さは、シートＳＨの幅よりも長く設定されている。
【００４０】
排出口１７からシートＳＨが排出される。排出口１７は、第１筐体１１と第２筐体１２との間に形成されている。より詳しくは、排出口１７は、前面１２Ｂの下端縁１２ＢＡと、前面１１Ｂの上端縁１１ＢＡとの隙間である。排出口１７は、右側の第１側壁部１３Ｒの近傍から左側の第２側壁部１３Ｌの近傍まで、左右方向に延びている。排出口１７の左右方向の長さは、第１導入口１６と同様、シートＳＨの幅よりも長く設定されている。
【００４１】
画像読取装置１は、ガイド部１８を備えている。ガイド部１８は、第２筐体１２の上側案内面１２Ｇと、第１筐体１１の下側案内面１１Ｇとから構成される。ガイド部１８は、搬送路Ｐを定義している。ガイド部１８は、搬送路Ｐに沿って、シートＳＨを後側の第１導入口１６から前側の排出口１７へ案内する。本実施形態では、搬送方向は、後側から前側に向かう方向である。また、搬送方向に直交する幅方向は、左右方向である。
【００４２】
ガイド部１８は、第１導入口１６から屈曲部分１８Ａまで、前側に向かうに従って下方に傾斜している。屈曲部分１８Ａは、筐体１０における前後方向の中央において、ガイド部１８が屈曲して前側に向きを変更する部分である。ガイド部１８は、屈曲部分１８Ａから排出口１７まで、前方に延びている。
【００４３】
トレイ２０は、基部２０Ａ及び中間部２０Ｂを有している。基部２０Ａは、左右方向に延びる図示しない開閉軸心周りに揺動可能に第１側壁部１３Ｒ及び第２側壁部１３Ｌに支持されている。中間部２０Ｂは、基部２０Ａの後端において、基部２０Ａに連結されている。
【００４４】
トレイ２０は、開放位置と閉鎖位置とに変位可能に筐体１０に支持されている。トレイ２０が開放位置にある状態では、基部２０Ａ及び中間部２０Ｂが下側案内面１１Ｇの傾斜部分に連続するように後側に向かうに従って上方に傾斜し、第１導入口１６を開放している。一方、トレイ２０が閉鎖位置にある状態では、基部２０Ａが垂直になって第１筐体１１の後面１１Ｃと上下方向に整列する。中間部２０Ｂが第２筐体１２の上面１２Ａを上側から覆う。
【００４５】
画像読取装置１は、左右一対の規制部２０Ｇ，２０Ｇを備えている。各規制部２０Ｇは、左右方向に摺動可能に各レール穴２０１Ｈに設けられている。各規制部２０Ｇは、案内室２０２Ａから保持面２０Ｈ上に突出する突起である。各規制部２０Ｇは、案内室２０２Ａ内に配された図示しないラック＆ピニオン機構に連結されている。各規制部２０Ｇは、トレイ２０の保持面２０Ｈに保持されるシートＳＨを左右方向の外側から挟んで左右方向の位置決めを行う。この際、各規制部２０Ｇは、ラック＆ピニオン機構によって連動し、ガイド部１８の左右方向の中央に対してシートＳＨを位置決めする。
【００４６】
画像読取装置１は、回路基板３１と、コネクタ３２Ａ，３２Ｂ，３２Ｃと、を備えている。回路基板３１は、第１筐体１１内の下側に収容されている。回路基板３１上には、ＣＰＵ、ＲＯＭ及びＲＡＭ等の制御回路が搭載されている。回路基板３１の制御回路は、図示しない駆動源を制御して、駆動力を発生させる。コネクタ３２Ａ、３２Ｂ、３２Ｃは、後壁１４に取り付けられている。コネクタ３２Ａ、３２Ｂ、３２Ｃの嵌合部分は、第１筐体１１の後面１１Ｃに露出している。コネクタ３２Ａ、３２Ｂ、３２Ｃは、トレイ２０の基部２０Ａの下側に位置している。コネクタ３２Ａ、３２Ｂ、３２Ｃは、第１筐体１１内において電気配線により回路基板３１の制御回路と接続されている。コネクタ３２Ａ、３２Ｂは、回路基板３１の制御回路と外部の情報処理装置や不揮発性記録媒体等とを電気的に接続して、情報の送受信を行うためのものであり、例えばＵＳＢコネクタ等である。コネクタ３２Ｃは、回路基板３１の制御回路と外部のＡＣアダプタとを電気的に接続して、家庭用コンセント等から電力の供給を受けるためのものである。
【００４７】
画像読取装置１は、搬送部４０及び読取部５０を備えている。搬送部４０は、分離ローラ４１、分離パッド４２、上流側搬送部４３及び下流側搬送部４４を有している。読取部５０は、第１読取部５１及び第２読取部５２を有している。これらは、ガイド部１８において、後側から前側から向かって、すなわち搬送方向の上流側から下流側に向かって、分離ローラ４１及び分離パッド４２、上流側搬送部４３、第２読取部５２、第１読取部５１、下流側搬送部４４という順番で配されている。以下、この順番で、これらの構成を説明する。
【００４８】
分離ローラ４１は、第１筐体１１内に回転可能に支持されている。分離ローラ４１の上部は、下側案内面１１Ｇの傾斜部分１１ＧＡにおいてガイド部１８から露出している。分離ローラ４１は、ガイド部１８における左右方向の中央に対して対称に配されている。
【００４９】
分離ローラ４１は、回路基板３１の制御回路が図示しない駆動源を制御することにより、駆動源に回転駆動される。分離ローラ４１は、トレイ２０に載置されたシートＳＨに当接しつつ回転することにより、そのシートＳＨをガイド部１８に送り出す。
【００５０】
分離パッド４２は、第２筐体１２に組み付けられている。分離パッド４２は、上側案内面１２Ｇの傾斜部分１２ＧＡにおいてガイド部１８から露出している。分離パッド４２は、ゴムやエラストマー等の摩擦部材からなる板状体である。分離パッド４２は、図示しない付勢部材に付勢されて、分離ローラ４１に押し付けられている。分離ローラ４１と分離パッド４２とは、ガイド部１８において搬送されるシートＳＨを挟んで一枚ずつ分離し得る。
【００５１】
上流側搬送部４３は、搬送ローラ４３Ａと従動ローラ４３Ｂとからなる。搬送ローラ４３Ａは、第１筐体１１内に組み付けられている。搬送ローラ４３Ａは、下側案内面１１Ｇの水平部分１１ＧＢから上向きに突出する。搬送ローラ４３Ａは、左右方向に延びる回転軸４３ＡＳを中心に回転可能である。搬送ローラ４３Ａは、図示しない駆動源に駆動されて回転する。搬送ローラ４３Ａは、本発明の搬送ローラの一例である。従動ローラ４３Ｂは、第２筐体１２内に組み付けられている。従動ローラ４３Ｂは、上側案内面１２Ｇの水平部分１２ＧＢから下向きに突出する。従動ローラ４３Ｂは、左右方向に延びる回転軸４３ＢＳを中心に回転可能である。従動ローラ４３Ｂは、搬送ローラ４３Ａの上側に設けられ、搬送ローラ４３Ａと上下方向に向かい合う。従動ローラ４３Ｂは、第１付勢部材４３Ｃによって搬送ローラ４３Ａに向けて付勢されている。第１付勢部材４３Ｃは、例えば、圧縮コイルばねなどの弾性体で構成される。第１付勢部材４３Ｃの上側端部は、第２筐体１２に固定される。第１付勢部材４３Ｃの下側端部は、従動ローラ４３Ｂの回転軸４３ＢＳに接触する。なお、圧縮コイルばねの代わりに、板バネなどが第１付勢部材４３Cとして用いられても差し支えない。従動ローラ４３Ｂは、本発明の従動ローラの一例である。搬送ローラ４３Ａは、ガイド部１８においてシートＳＨを従動ローラ４３Ｂと挟んで回転し、そのシートＳＨをニップして搬送する。
【００５２】
第１読取部５１は、第１筐体１１に組み付けられている。より具体的には、第１読取部５１は、Ｃｏｎｔａｃｔ Ｉｍａｇｅ Ｓｅｎｓｏｒ（以後、「ＣＩＳ」と略す）、ＣＩＳホルダ及びコンタクトガラス等を備える。第１読取部５１の上面は、下側案内面１１Ｇの水平部分１１ＧＢにおいてガイド部１８から露出している。
【００５３】
第２読取部５２は、第２筐体１２に組み付けられている。より具体的には、第２読取部５２は、ＣＩＳ、ＣＩＳホルダ及びコンタクトガラス等を備える。第２読取部５２の下面は、上側案内面１２Ｇの水平部分１２ＧＢにおいてガイド部１８から露出している。
【００５４】
第１読取部５１及び第２読取部５２は、右側の第１側壁部１３Ｒの近傍から、左側の第２側壁部１３Ｌの近傍まで左右方向に延びている。第１読取部５１及び第２読取部５２は、上下方向に対向している。
【００５５】
上記構成により、第１読取部５１及び第２読取部５２は、シートＳＨがガイド部１８において搬送される場合、そのシートＳＨの両面の画像を読み取る。
下流側搬送部４４は、排出ローラ４４Ａと従動ローラ４４Ｂとからなる。排出ローラ４４Ａは、第１筐体１１内に組み付けられている。排出ローラ４４Ａは、左右方向に延びる回転軸４４ＡＳを中心に回転可能である。排出ローラ４４Ａは、下側案内面１１Ｇの水平部分１１ＧＢから上向きに突出する。排出ローラ４４Ａは、図示しない駆動源に駆動されて回転する。従動ローラ４４Ｂは、第２筐体１２内に組み付けられている。従動ローラ４４Ｂは、左右方向に延びる回転軸４４ＢＳを中心に回転可能である。従動ローラ４４Ｂは、上側案内面１２Ｇの水平部分１２ＧＢから下向きに突出する。従動ローラ４４Ｂは、搬送ローラ４４Ａの上側に設けられ、搬送ローラ４４Ａと上下方向に向かい合う。従動ローラ４４Ｂは、第２付勢部材４４Ｃによって排出ローラ４４Ａに向けて付勢されている。第２付勢部材４４Ｃは、例えば、圧縮コイルばねなどの弾性体で構成される。第２付勢部材４４Ｃの上側端部は、第２筐体１２に固定される。第２付勢部材４４Ｃの下側端部は、従動ローラ４４Ｂの回転軸４４ＢＳに接触する。なお、圧縮コイルばねの代わりに、板バネなどが第２付勢部材４４Ｃとして用いられても差し支えない。排出ローラ４４Ａは、ガイド部１８においてシートＳＨを従動ローラ４４Ｂと挟んで回転し、そのシートＳＨをニップして排出口１７から筐体１０の外部に排出する。
【００５６】
図３，図５〜図８に示すように、画像読取装置１は、ロック機構６０を備えている。
ロック機構６０は、二つのロック部材６１，６２と、連結棒６３と、第３付勢部材６４と、二つの受け部６５，６６と、を備える。
【００５７】
ロック部材６１は、第２筐体１２の右側の端部に配置される。ロック部材６１は、左右方向に摺動可能に第２筐体１２に設けられている。ロック部材６１は、本体６１Ａ、突出部６１Ｂ、第１平坦面６１Ｃ、第２平坦面６１Ｄ、第１斜面６１Ｅ及び把持部６１Ｆを有する。本体６１Ａは上下方向に延びる。突出部６１Ｂは、本体６１Ａの下端部分において、右方向に突出する。第１平坦面６１Ｃは、突出部６１Ｂの上側に形成された、上側を向く平坦な面である。第１平坦面６１Ｃは、画像読取装置１を水平な場所に置いた場合、水平面と平行となる。第２平坦面６１Ｄは、突出部６１Ｂの下側に形成された、下側を向く平坦な面である。第２平坦面６１Ｄは、画像読取装置１を水平な場所に置いた場合、水平面と平行となる。第１斜面６１Ｅは、第２平坦面６１Ｄの右側端部よりも右側且つ上側に設けられた傾斜面である。第１斜面６１Ｅは、下側且つ右側を向いている。把持部６１Ｆは、本体６１Ａの上側に設けられ、上側に突出している。第２筐体１２には切り欠き部１２Ｆが形成されている。切り欠き部１２Ｆは、第２筐体１２の上面１２Ａの右端側に設けられる。切り欠き部１２Ｆは、把持部６１Ｆよりも左右方向に長い。切り欠き部１２Ｆの内部には、上側または下側から見て、把持部６１Ｆが位置している。
【００５８】
ロック部材６２は、第２筐体１２の左側の端部に配置される。ロック部材６２は、左右方向に摺動可能に第２筐体１２に設けられている。ロック部材６２は、本体６２Ａ、突出部６２Ｂ、第１平坦面６２Ｃ、第２平坦面６２Ｄ及び第１斜面６２Ｅを有する。本体６２Ａは上下方向に延びる。突出部６２Ｂは、本体６２Ａの下端部分において、右方向に突出する。第１平坦面６１Ｃは、突出部６２Ｂの上側に形成された、上側を向く平坦な面である。第１平坦面６１Ｃは、画像読取装置１を水平な場所に置いた場合、水平面と平行となる。第２平坦面６２Ｄは、突出部６２Ｂの下側に形成された、下側を向く平坦な面である。第２平坦面６２Ｄは、画像読取装置１を水平な場所に置いた場合、水平面と平行となる。第１斜面６２Ｅは、第２平坦面６２Ｄの右側端部よりも右側且つ上側に設けられた傾斜面である。第１斜面６２Ｅは、下側且つ右側を向いている。
【００５９】
連結棒６３は、第２筐体１２の後部を左右方向に延出する。連結棒６３は、第２筐体１２内を左右方向に摺動可能である。連結棒６３の右端部にはロック部材６１が固定されている。連結棒６３の左端部にはロック部材６２が固定されている。
【００６０】
第３付勢部材６４は、例えば、圧縮コイルばねなどの弾性部材である。第３付勢部材６４の内部には、連結棒６３が通されている。第３付勢部材６４は、本発明の付勢部材の一例である。第３付勢部材６４は、ロック部材６１よりも左側に設けられている。第３付勢部材６４の右端部はロック部材６１に組み付けられている。第３付勢部材６４の左端部は第２筐体１２に組み付けられている。第３付勢部材６４は、ロック部材６１を右方向に向けて付勢する。
【００６１】
受け部６５は、第１筐体１１の右側の端部に配置される。受け部６５は、本体６５Ａ、窪み部６５Ｂ、第３平坦面６５Ｃ、第４平坦面６５Ｄ及び第２斜面６５Ｅを有する。窪み部６５Ｂは、本体６５Ａの左下端部に形成されている。窪み部６５Ｂは、右方向に向けて窪み且つ左方向に向けて開放されている。第３平坦面６５Ｃは、窪み部６５Ｂの上側に形成された、下側を向く平坦な面である。第３平坦面６５Ｃは、画像読取装置１を水平な場所に置いた場合、水平面と平行となる。第４平坦面６５Ｄは、窪み部６５Ｂの下側に形成された、上側を向く平坦な面である。第４平坦面６５Ｄは、画像読取装置１を水平な場所に置いた場合、水平面と平行となる。
【００６２】
第２斜面６５Ｅは、本体６５Ａの上端部に形成されている。第２斜面６５Ｅは、左方向且つ上方向を向く。第２斜面６５Ｅは右方向に対して４５度〜９０度の角度を有する。
窪み部６５Ｂは、ロック部材６１の突出部６１Ｂに係合する。窪み部６５Ｂと突出部６１Ｂとが係合した場合、第３平坦面６５Ｃは、ロック部材６１の第１平坦面６１Ｃに接触する。窪み部６５Ｂと突出部６１Ｂとが係合した場合、第４平坦面６５Ｄは、ロック部材６１の第２平坦面６１Ｄに接触する。
【００６３】
受け部６６は、第１筐体１１の左側の端部に配置される。受け部６６は、本体６６Ａ、窪み部６６Ｂ、第３平坦面６６Ｃ、第４平坦面６６Ｄ、及び第２斜面６６Ｅを有する。窪み部６６Ｂは、本体６６Ａの左下端部に形成されている。窪み部６６Ｂは、右方向に向けて窪み且つ左方向に向けて開放されている。第３平坦面６６Ｃは、窪み部６６Ｂの上側に形成された、下側を向く平坦な面である。第３平坦面６６Ｃは、画像読取装置１を水平な場所に置いた場合、水平面と平行となる。第４平坦面６６Ｄは、窪み部６６Ｂの下側に形成された、上側を向く平坦な面である。第４平坦面６６Ｄは、画像読取装置１を水平な場所に置いた場合、水平面と平行となる。
【００６４】
第２斜面６６Ｅは、本体６６Ａの上端部に形成されている。第２斜面６５Ｅは、左方向且つ上方向を向く。第２斜面６５Ｅは右方向に対して４５度〜９０度の角度を有する。
窪み部６６Ｂは、ロック部材６２の突出部６２Ｂに係合する。窪み部６６Ｂと突出部６２Ｂとが係合した場合、第３平坦面６６Ｃは、ロック部材６２の第１平坦面６２Ｃに接触する。窪み部６６Ｂと突出部６２Ｂとが係合した場合、第４平坦面６６Ｄは、ロック部材６２の第２平坦面６２Ｄに接触する。
【００６５】
［２．画像読取装置１の動作の説明］
次に、画像読取装置１の動作を説明する。
図１〜図４に示すように、シートＳＨの画像が読み取られる場合、開いた状態のトレイ２０にシートＳＨが載置される。回路基板３１の制御回路は、操作部１５からシートＳＨの読取指示があった場合や、外部の情報処理装置からコネクタ３２Ａ、３２Ｂを介してシートＳＨの読取指示を受けた場合等に、図示しないシート検出センサによってトレイ２０の保持面２０ＨにシートＳＨが保持されていることを確認した上で、シートＳＨの画像読取動作を開始する。
【００６６】
回路基板３１の制御回路は、図示しない駆動源に駆動力を発生させる指示を送信する。分離ローラ４１が分離パッド４２とシートＳＨを挟みながら回転する。分離ローラ４１は、トレイ２０上のシートＳＨを第１導入口１６から導入し、シートＳＨをガイド部１８に送り出す。複数枚のシートＳＨが重なった状態で搬送されようとしている場合、分離パッド４２とシートＳＨとの間の摩擦力により、シートＳＨが一枚ずつ分離され得る。
【００６７】
上流側搬送部４３の搬送ローラ４３Ａ及び従動ローラ４３Ｂによって、分離ローラ４１に送り出されたシートＳＨがガイド部１８に沿って搬送される。搬送されるシートＳＨの両面の画像が、第１読取部５１及び第２読取部５２により読み取られる。画像が読み取られたシートＳＨは、下流側搬送部４４の排出ローラ４４Ａ及び従動ローラ４４Ｂによって、排出口１７から筐体１０の外部に排出される。
【００６８】
メンテナンスを行う場合、トレイ２０及び第２筐体１２が開いた状態にされる。
第２筐体１２が閉じた状態である場合、図５〜図７に示すように、右側のロック部材６１及び左側のロック部材６２が受け部６５及び受け部６６にそれぞれ係合している。右側のロック部材６１の突出部６１Ｂが、第３付勢部材６４の付勢力により受け部６５の窪み部６５Ｂに入り込んでいる。すなわち、突出部６１Ｂが窪み部６５Ｂに係合されている。突出部６１Ｂが窪み部６５Ｂに係合される際には、第１平坦面６１Ｃが第３平坦面６５Ｃに接触するとともに、第２平坦面６１Ｄが第４平坦面６５Ｄに接触する。左側のロック部材６２についても同様であるので、その詳細な説明は省略する。
【００６９】
第２筐体１２を開ける場合には、右側のロック部材６１の把持部６１Ｆが左方向に押される。把持部６１Ｆの左方向への移動に伴って、右側のロック部材６１及び左側のロック部材６２が左方向に移動する。ロック部材６１が左方向に移動すると、突出部６１Ｂが窪み部６５Ｂから外れる。すなわち、突出部６１Ｂが上方に移動可能となる。左側のロック部材６２についても同様であるので、その詳細な説明は省略する。
【００７０】
把持部６１Ｆを上方に移動させると、第２筐体１２が第１筐体１１から離間する方向に回動する。右側のロック部材６１および左側のロック部材６２が第３付勢部材６４の付勢力により右方向に移動する。
【００７１】
第２筐体１２を閉じる場合には、第２筐体１２が第１筐体１１に近づく方向に回動する。図８（Ａ）に示すように、第２筐体１２が第１筐体１１に向けて回動すると、右側のロック部材６１の第１斜面６１Ｅが受け部６５の第２斜面６５Ｅに当接する。図８（Ｂ）に示すように、第２筐体１２の回動に伴い、ロック部材６１が、第１斜面６１Ｅ及び第２斜面６５Ｅによって左方向に案内される。ロック部材６１は、第３付勢部材６４の付勢力に抗して、左方向且つ下方向に移動する。図８（Ｃ）に示すように、第２筐体１２の回動に伴い、ロック部材６１は、第１平坦面６１Ｃが第３平坦面６５Ｃよりも下側となり且つ突出部６１Ｂが窪み部６５Ｂの左側となる位置に移動する。図８（Ｄ）に示すように、突出部６１Ｂが第３付勢部材６４の付勢力により窪み部６５Ｂに入り込む。すなわち、突出部６１Ｂが窪み部６５Ｂに係合される。突出部６１Ｂが窪み部６５Ｂに係合される際には、第１平坦面６１Ｃが第３平坦面６５Ｃに接触するとともに、第２平坦面６１Ｄが第４平坦面６５Ｄに接触する。左側のロック部材６２についても同様であるので、その詳細な説明は省略する。
【００７２】
［３．実施形態の効果］
（１）このように本実施形態の画像読取装置１によれば、次のような作用効果を奏する。第２筐体１２が閉じた状態である場合、図５〜図７に示すように、右側のロック部材６１及び左側のロック部材６２が受け部６５及び受け部６６にそれぞれ係合する。右側のロック部材６１の突出部６１Ｂが、第３付勢部材６４の付勢力により受け部６５の窪み部６５Ｂに入り込む。すなわち、突出部６１Ｂが窪み部６５Ｂに係合される。突出部６１Ｂが窪み部６５Ｂに係合した状態で第１平坦面６１Ｃが第３平坦面６５Ｃに接触するため、ロック部材６１は、上方向への移動が規制される。突出部６１Ｂが窪み部６５Ｂに係合した状態で第２平坦面６１Ｄが第４平坦面６５Ｄに接触するため、ロック部材６１は、下方向への移動が規制される。左側のロック部材６２についても同様である。このような第１筐体１１側のロック部材６１，６２と第２筐体１２側の受け部６５，６６との係合により、第１筐体１１と第２筐体１２との間のガタを低減できる。
【００７３】
（２）また、本実施形態の画像読取装置１によれば、第２筐体１２を第１筐体１１に向けて回動させる動作によりロック部材６１，６２を受け部６５，６６にそれぞれ係合させることができるので、利用者の利便性がよい。
【００７４】
（３）また、本実施形態の画像読取装置１によれば、第２斜面６５Ｅ，６６Ｅが右方向に対して４５度〜９０度の角度を有する。このことにより、第２筐体１２を第１筐体１１に向けて回動させた場合に、ロック部材６１，６２が第２斜面６５Ｅ，６６Ｅに案内されながら、第３付勢部材６４の付勢力に抗して左方向に移動する動作がスムーズとなる。したがって、利用者の利便性が更によい。
【００７５】
（４）また、本実施形態の画像読取装置１によれば、ロック部材６１，６２を右方向に向けて付勢する付勢部材として第３付勢部材６４を備えている。一般的に圧縮ばねは引張ばねよりも耐久性がよいことから、第３付勢部材６４を付勢部材として用いることにより、付勢部材として引張ばねを用いる場合に比べて付勢部材の耐久性を向上させることができる。また、一般的に、圧縮した状態で付勢力を発揮する圧縮ばねの方が引っ張った状態で付勢力を発揮する引張ばねよりも占有スペースが小さくて済むことから、第３付勢部材６４を付勢部材として用いることにより、付勢部材として引張ばねを用いる場合に比べて付勢部材が占有するスペースを小さくでき、画像読取装置１の設計自由度を高めることができる。
【００７６】
（５）また、本実施形態の画像読取装置１によれば、二つのロック部材６１，６２及び二つの受け部６５，６６を備え、一方のロック部材６１が第２筐体１２の右側の端部に配置されるとともに、他方のロック部材６２が第２筐体１２の左側の端部に配置され、一方の受け部６５が第１筐体１１の右側の端部に配置されるとともに、他方の受け部６６が第１筐体１１の左側の端部に配置され、ロック部材６１とロック部材６２との間に第３付勢部材６４が配置されている。このことにより、第２筐体１２が回動して第１筐体１１に近づく場合に、画像読取装置１の左右の端部にて第１筐体１１側のロック部材６１，６２と第２筐体１２側の受け部６５，６６とがそれぞれ係合するので、画像読取装置１の左右の端部何れにおいても第１筐体１１と第２筐体１２との間のガタを低減できる。
【００７７】
（６）また、本実施形態の画像読取装置１によれば、右側のロック部材６１が把持部６１Ｆを有し、第２筐体１２が、把持部６１Ｆよりも左右方向に長く、上側または下側から見て把持部６１Ｆがその内部に位置する切り欠き部１２Ｆを有する。このことにより、上側または下側から見て切り欠き部１２Ｆの内部に位置する把持部６１Ｆが切り欠き部１２Ｆ内を左右方向に移動可能となり、把持部６１Ｆが設けられたロック部材６１の左右方向への移動がスムーズとなる。したがって、利用者の利便性が更によい。
【００７８】
（７）また、本実施形態の画像読取装置１によれば、付勢部材としての第３付勢部材６４が、二つのロック部材６１，６２のうち把持部６１Ｆが形成されたロック部材６１を右方向に向けて付勢する。このことにより、把持部が形成されていないロック部材６２を圧縮ばねなどの付勢部材が右方向に向けて付勢する場合に比べて、付勢部材と把持部との間の距離が近く、把持部を操作する操作力が付勢部材によって付勢されるロック部材に伝達される伝達効率が良い。したがって、把持部６１Ｆの操作性がよい。
【００７９】
［４．他の実施形態］
以上、本発明の一実施形態について説明したが、本発明は上記実施形態に限定されるものではなく、以下のような様々な態様にて実施することが可能である。
【００８０】
（１）本発明は、シートを搬送する搬送装置として機能する構成であれば、画像読取装置以外にも適用可能である。例えば、本発明は、レーザプリンタまたはインクジェットプリンタ等の画像形成装置に適用することができる。
【００８１】
（２）画像読取装置１は、上記実施形態のような、二つのロック部材６１，６２及び二つの受け部６５，６６を備える構成でなくてもよい。例えば、画像読取装置１は、左右何れかにロック部材及び受け部を備えるように構成してもよい。
【００８２】
（３）画像読取装置１は、上記実施形態のような、右側のロック部材６１を右方向に付勢する第３付勢部材６４を備える構成でなくてもよい。例えば、画像読取装置１は、左側のロック部材６２を右方向に付勢する圧縮ばねなどの付勢部材を備える構成であってもよい。画像読取装置１は、右側のロック部材６１を右方向に付勢する第３付勢部材６４を備えるとともに、左側のロック部材６２を右方向に付勢する圧縮ばねなどの付勢部材を備える構成であってもよい。
【００８３】
（４）画像読取装置１は、上記実施形態のような、ロック部材６１が第１斜面６１Ｅを有する構成でなくてもよい。画像読取装置１は、上記実施形態のような、受け部６５が第２斜面６５Ｅを有する構成でなくてもよい。
【００８４】
（５）画像読取装置１は、上記実施形態のような、搬送ローラ４３Ａが下側案内面１１Ｇの水平部分１１ＧＢから上向きに突出する構成でなくてもよい。例えば、画像読取装置１は、搬送ローラ４３Ａが上側案内面１２Ｇの水平部分１２ＧＢから下向きに突出する構成であってもよい。このような構成の場合、従動ローラ４３Ｂは、下側案内面１１Ｇの水平部分１１ＧＢから上向きに突出する。従動ローラ４３Ｂは、第１付勢部材４３Ｃによって搬送ローラ４３Ａに向けて付勢される。第１付勢部材４３Ｃの下側端部は、第１筐体１１に固定される。第１付勢部材４３Ｃの上側端部は、従動ローラ４３Ｂの回転軸４３ＢＳに接触する。さらに、排出ローラ４４Ａも、上側案内面１２Ｇの水平部分１２ＧＢから下向きに突出してもよい。この場合、従動ローラ４４Ｂは、下側案内面１１Ｇの水平部分１１ＧＢから上向きに突出する。従動ローラ４４Ｂは、第２付勢部材４４Ｃによって搬送ローラ４４Ａに向けて付勢されている。第２付勢部材４４Ｃの下側端部は、第１筐体１１に固定される。第２付勢部材４４Ｃの上側端部は、従動ローラ４４Ｂの回転軸４４ＢＳに接触する。
【符号の説明】
【００８５】
１…画像読取装置、１０…筐体、１１…第１筐体、１１Ｂ…前面、１１ＢＡ…上端縁、１１Ｃ…後面、１１Ｇ…下側案内面、１１ＧＡ…傾斜部分、１１ＧＢ…水平部分、１１ＧＣ…後端縁、１２…第２筐体、１２Ａ…上面、１２Ｂ…前面、１２ＢＡ…下端縁、１２Ｆ…切り欠き部、１２Ｇ…上側案内面、１２ＧＡ…傾斜部分、１２ＧＢ…水平部分、１２ＧＣ…後端縁、１２Ｈ…操作部用開口、１３Ｌ…第２側壁部、１３Ｒ…第１側壁部、１４…後壁、１５…操作部、１６…第１導入口、１７…排出口、１８…ガイド部、１８Ａ…屈曲部分、２０…トレイ、２０Ａ…基部、２０Ｂ…中間部、２０Ｇ…規制部、２０Ｈ…保持面、３１…回路基板、３２Ａ，３２Ｂ，３２Ｃ…コネクタ、４０…搬送部、４１…分離ローラ、４２…分離パッド、４３…上流側搬送部、４３Ａ…搬送ローラ、４３ＡＳ…回転軸、４３Ｂ…従動ローラ、４３ＢＳ…回転軸、４３Ｃ…第１付勢部材、４４…下流側搬送部、４４Ａ…排出ローラ、４４ＡＳ…回転軸、４４Ｂ…従動ローラ、４４ＢＳ…回転軸、４４Ｃ…第２付勢部材、５０…読取部、５１…第１読取部、５２…第２読取部、６０…ロック機構、６１，６２…ロック部材、６１Ａ，６２Ａ…本体、６１Ｂ，６２Ｂ…突出部、６１Ｃ，６２Ｃ…第１平坦面、６１Ｄ，６２Ｄ…第２平坦面、６１Ｅ，６２Ｅ…第１斜面、６１Ｆ，６２Ｆ…把持部、６３…連結棒、６４…第３付勢部材、６５…受け部、６５Ａ，６６Ａ…本体、６５Ｂ，６６Ｂ…窪み部、６５Ｃ，６６Ｃ…第３平坦面、６５Ｄ，６６Ｄ…第４平坦面、６５Ｅ，６６Ｅ…第２斜面、２０１Ｈ…レール穴、２０２Ａ…案内室、Ｐ…搬送路、Ｓ１…隙間、ＳＨ…シート、Ｘ１２Ａ…開閉軸心。
【図１】
2015189574.tif 000003
【図２】
2015189574.tif 000004
【図３】
2015189574.tif 000005
【図４】
2015189574.tif 000006
【図５】
2015189574.tif 000007
【図６】
2015189574.tif 000008
【図７】
2015189574.tif 000009
【図８】
2015189574.tif 000010